(57)【要約】【課題】テープ状記録媒体の走行速度が変動しても、それに記録される記録波長やパルス間隔を一定にするための基準信号を発生できるようにする。【解決手段】テープ状記録媒体１１の走行方向に記録ヘッド１３と再生ヘッド１５を配置する。記録再生制御部２９は、スタート指示部１７の指示によって波形整形部１９で記録パルス信号を作成して切換部２１、記録アンプ２５を介して記録ヘッド１３へ出力する。記録ヘッド１３はその記録パルス信号を記録し、再生ヘッド１５はそれを再生パルス信号として再生する。記録再生制御部２９は、波形整形部１９で再生パルス信号を波形整形して次の記録パルス信号を形成し、記録ヘッド１３へ出力する。基準信号形成部２３は内部発振した発振高周波信号をその再生パルス信号の位相でロックし、基準信号として出力する。【選択図】　図１
2004039073.tif 000002
【特許請求の範囲】
【請求項１】
磁気記録装置におけるテープ状記録媒体の走行位置に所定の間隔を置いて上流と下流側に配置され、前記テープ状記録媒体に当接してこれに磁気的に情報を記録し再生する記録ヘッドおよび再生ヘッドと、
前記テープ状記録媒体上に記録させる所定の記録パルス信号を前記記録ヘッド側へ出力するとともに、当該テープ状記録媒体の通過時に前記再生ヘッドで再生された前記記録パルス信号を再生パルス信号として取り込む記録再生制御部であって、前記再生パルス信号の取り込みタイミングに基づき次の前記記録パルス信号を前記記録ヘッド側に出力する記録再生制御部と、
所定の高周波信号を発振するとともにこの発振高周波信号を前記再生パルス信号で位相ロックさせた信号を基準信号として出力する基準信号形成部と、
を具備することを特徴とする磁気記録装置における基準信号発生装置。
【請求項２】
前記基準信号形成部は、前記再生パルス信号に同期した同期パルス信号を形成し、この同期パルス信号に基づき前記再生パルス信号の再生欠落を検出して検出信号を出力するよう形成され、前記記録再生制御部は、前記再生パルス信号に基づき次の前記記録パルス信号を前記記録ヘッド側に出力するとともに、前記検出信号が入力されたとき前記同期パルス信号を次の前記記録パルス信号として出力するよう形成された請求項１記載の磁気記録装置における基準信号発生装置。
【請求項３】
前記基準信号形成部は、前記再生パルス信号に同期した同期パルス信号を出力するよう形成され、前記記録再生制御部は、前記同期パルス信号を次の前記記録パルス信号として出力するよう形成された請求項１記載の磁気記録装置における基準信号発生装置。
【請求項４】
前記基準信号形成部は、前記発振高周波信号を１／Ｎ（Ｎは正の整数）に分周した信号と前記再生パルス信号を比較し、その位相差に応じて前記発振高周波信号の周波数を可変し、これを１／Ｍ（Ｍは正の整数）に分周して前記基準信号として出力するよう形成された請求項１から３項のいずれか１項記載の磁気記録装置における基準信号発生装置。
【請求項５】
前記基準信号は、前記テープ状記録媒体上へのサーボパターン信号記録用の基準信号である請求項１から４項のいずれか１項記載の磁気記録装置における基準信号発生装置。
【請求項６】
前記基準信号は、前記テープ状記録媒体の走行補正用信号である請求項１から４項のいずれか１項記載の磁気記録装置における基準信号発生装置。
【発明の詳細な説明】
【０００１】
【発明の属する技術分野】
本発明は磁気記録装置における基準信号発生装置に係り、磁気記録装置においてテープ状記録媒体（磁気テープ）への例えばサーボパターンの正確な記録に使用して好適する基準信号発生装置に関する。
【０００２】
【従来の技術】
一般に、デジタル画像情報データや音声情報データなどを記録するテープ状記録媒体は、その記録密度を向上させるために、それらデジタルデータの他にテープの位置情報などのサーボ情報を特定の磁化パターン（サーボパターン）にして複数のリニア記録トラック（サーボトラック）に書き込み、記録再生装置においてはそのサーボ情報に基づき位置制御や走行制御などを行うことが知られている。
【０００３】
そして、テープ状記録媒体の所定のリニア記録トラックにサーボパターンを書き込む手法として、次のような手法が検討されている。
【０００４】
すなわち、図３に示すように、テープ状記録媒体１の上流側にその記録幅に比べて十分広幅の記録ヘッド３を走行方向Ｄに直交するように配置し、記録ヘッド３より下流側に、同様に広幅の消去ヘッド５を斜めに配置し、記録ヘッド３に当接したテープ状記録媒体１に対して所定のタイミングで情報縦パターン７を繰り返し書き込み、テープ状記録媒体１に対して消去ヘッド５でそれら情報縦パターン７を消去して図４のように所定の記録幅で消し残すことにより、平行四辺形状の単位情報Ｚが斜め方向に直線状に配列されたサーボパターン９を形成するものである。
【０００５】
そして、そのサーボパターン９は、記録や再生時にテープ状記録媒体１から読み込まれ、図示しない記録再生ヘッドの位置制御系やテープ状記録媒体１の走行系のサーボ制御に使用される。
【０００６】
このような、サーボパターン９の書込み手法は、書き込み精度を向上させるため、個々のリニア記録トラックに対応した個別の記録ヘッドが不要で、構成が簡単でコスト低減も図り易い利点がある。
【０００７】
なお、図３および図４中の情報縦パターン７である符号Ａｎ、Ａｎ＋１、Ａｎ＋２は具体的にはサーボ信号情報、符号Ｂｎ、Ｂｎ＋１、Ｂｎ＋２は識別信号情報（サーボタイミングマーク）であり、符号ＴＣｎ、ＴＣｎ＋１、ＴＣｎ＋２はリニアサーボトラックであり、便宜上、サーボ信号情報Ａｎ〜Ａｎ＋２、…および識別信号Ｂｎ〜Ｂｎ＋２、…をサーボ信号とする。
【０００８】
【発明が解決しようとする課題】
しかしながら、上述したサーボパターン９は、有用な利点があるものの、書き込み間隔のばらつきを極力小さく抑えて幾何学的に揃った情報縦パターン７を書き込まないと、目的とする正確なサーボ制御を確保したり、トラック密度を向上させることが困難となり易い。
【０００９】
例えば、図５Ａに示すように、サーボパターン９の個々の単位情報Ｚが図中符号Ｒの位置に揃えてあってその下端がリニアサーボトラックＴＣｎのトラックセンターＴＣ（ｎ）に重なる位置関係を正常な記録位置とした場合、テープ状記録媒体１の走行系の速度偏差、変動、ジッターなどに起因して、同図Ｂのように一部の単位情報Ｚの形成幅が変動してＲｅ分ずれて書かれると、再生時にトラックセンターＴＣ（ｎ）に再生ヘッド（図示せず。）がポジショニングされていても、Ｐｅ分だけずれているとの誤った信号が出されることになる。
【００１０】
その結果、その誤信号によってサーボ機構が動作し、記録再生ヘッドが目的位置に収束できなくなり、テープ状記録媒体１の正確なサーボ制御に支障をきたしたり、トラック密度を向上させ難くなり、個々のサーボ信号の形成位置のバラツキや間隔の変動を極力小さく抑える必要がある。
【００１１】
このように、テープ状記録媒体３にサーボパターン１を記録する場合、このずれＲｅ分をどれだけ小さくできるかが、トラック密度を決定する重要な因子となる。
【００１２】
もっとも、テープ状記録媒体１の走行系の速度精度を向上させれば、幾何学的に揃ったサーボパターン９を形成できるようにも考えられるが、サーボパターン９の形成精度の要求が高いため、走行系だけで解決するのは限界があり、改良の余地がある。
【００１３】
本発明はそのような課題を解決するためになされたもので、テープ状記録媒体のサーボ制御補正に使用できる基準信号を発生する基準信号発生装置の提供を目的とする。
【００１４】
【課題を解決するための手段】
このような課題を解決するために本発明は、磁気記録装置におけるテープ状記録媒体の走行位置に所定の間隔を置いて上流と下流側に配置され、そのテープ状記録媒体に当接してこれに磁気的に情報を記録し再生する対をなす記録ヘッドおよび再生ヘッドと、そのテープ状記録媒体上に記録させる所定の記録パルス信号を記録ヘッド側へ出力するとともに、当該テープ状記録媒体の通過時に再生ヘッドで再生されたその記録パルス信号を再生パルス信号として取り込む記録再生制御部であって、その再生パルス信号の取り込みタイミングに基づき次の記録パルス信号を記録ヘッド側に出力する記録再生制御部と、所定の高周波信号を発振するとともにこの発振高周波信号をその再生パルス信号で位相ロックさせた信号を基準信号として出力する基準信号形成部とを具備している。
【００１５】
そして、本発明は、上記基準信号形成部として、その再生パルス信号に同期した同期パルス信号を形成し、この同期パルス信号に基づきその再生パルス信号の再生欠落を検出して検出信号を出力するよう形成し、上記記録再生制御部は、その再生パルス信号に基づき次の記録パルス信号を記録ヘッド側に出力するとともに、その検出信号が入力されたとき同期パルス信号を次の記録パルス信号として出力するよう形成することも可能である。
【００１６】
また、本発明は、上記基準信号形成部として、その再生パルス信号に同期した同期パルス信号を出力するよう形成し、上記記録再生制御部として、その同期パルス信号を次の記録パルス信号として出力するよう形成することも可能である。
【００１７】
さらに、本発明は、上記基準信号形成部として、その発振高周波信号を１／Ｎ（Ｎは正の整数、以下同じ。）に分周した信号と上記再生パルス信号を比較し、その位相差に応じてその発振高周波信号の周波数を可変し、これを１／Ｍ（Ｍは正の整数、以下同じ。）に分周して上記基準信号として出力するよう形成すると良い。
【００１８】
さらにまた、本発明は、上記基準信号としてテープ状記録媒体上へのサーボパターン信号記録用の基準信号としたり、テープ状記録媒体の走行補正用信号とすると良い。
【００１９】
特に、本発明は、テープ状記録媒体の上流側にその記録幅に比べて十分広幅の記録ヘッドを走行方向に直交するように配置し、その記録ヘッドより下流側に広幅の消去ヘッドを斜めに配置し、その記録ヘッドでテープ状記録媒体に所定のタイミングで繰り返し情報縦パターンを書き込み、その消去ヘッドでそれら縦パターン情報を消去するとともに所定の記録幅で消し残して斜め方向に直線状に配列されたサーボパターンを形成するサーボパターン形成装置において、上述した基準信号発生装置を搭載し、その基準信号をそのサーボパターンの書き込みタイミング用として用いる構成に好適する。
【００２０】
【発明の実施の形態】
以下、本発明の実施の形態を図面を参照して説明する。
【００２１】
図１は本発明に係る基準信号発生装置の実施の形態を示すブロック図である。図１において、テープ状記録媒体１１は、従来公知のものであって図示しない所定の走行系によって矢符ｄ方向（走行方向）に駆動走行制御されるが、本発明の要部ではないので説明や図示は省略する。
【００２２】
記録ヘッド１３は、テープ状記録媒体１１の走行方向ｄの上流にそれに当接するように配置されており、再生ヘッド１５は、記録ヘッド１３の下流側にテープ状記録媒体１１に当接するように配置されている。
【００２３】
記録ヘッド１３および再生ヘッド１５は、後述する記録パルス信号をテープ状記録媒体１１に記録したり再生するに適した構成を有し、図示しない支持手段によって支持されている。図１では、テープ状記録媒体１１に重なるように図示するとともに、テープ状記録媒体１１から離して図示しているが、同じものである。
【００２４】
記録ヘッド１３および再生ヘッド１５は、テープ状記録媒体１１の走行方向ｙに近接して一体的又は別個に配置されており、互いの信号ノイズを拾わないように、好ましくは数十〜数百ミクロンメートルの間隔で一体的に形成したり、１ｍｍ前後の間隔で別個に配置される。
スタート指示部１７は、走行動作が安定したら走行系からの指示によってスタート信号を出力するもので、波形整形部１９に接続されている。
【００２５】
波形整形部１９は、スタート指示部１７からのスタート信号又は後述するように波形整形した再生パルス信号に基づき、１個の記録用パルス信号を出力するもので、切換部２１および後述する基準信号形成部２３に接続されている。
【００２６】
切換部２１は、波形整形部１９からの記録パルス信号を出力するものであるが、基準信号形成部２３から切換信号が入力されたとき、基準信号形成部２３からの記録パルス信号を基準信号形成部２３からの後述する同期パルス信号に切換え出力するものであり、記録パルス信号を増幅する記録アンプ２５を介して記録ヘッド１３に接続されている。
【００２７】
記録ヘッド１３はその記録パルス信号をテープ状記録媒体１１に記録する上述したものであり、記録パルス信号Ｐ１がテープ状記録媒体１１に記録される。図１では記録ヘッド１３で次の記録パルス信号Ｐ２を記録する状態を示している。
【００２８】
再生ヘッド１５は、テープ状記録媒体１１に記録された記録パルス信号Ｐ１を再生するものであり、再生信号を増幅する再生アンプ２７を介して上述した波形整形部１９に接続されている。
【００２９】
波形整形部１９は、上述した機能の他、再生アンプ２７からの再生パルス信号を波形整形して上述した１個の記録パルス信号を形成し、これを切換部２１および記録アンプ２５を介して記録ヘッド１３に出力する機能を有するとともに、再生パルス信号を基準信号形成部２３に出力する機能を有している。
【００３０】
それらスタート指示部１７、波形整形部１９、切換部２１、記録アンプ２５、再生アンプ２７によって記録再生制御部２９が形成されている。
【００３１】
そのため、再生ヘッド１５で記録パルス信号Ｐ１が再生されると、これが波形整形されて１個の記録パルス信号Ｐ２となって切換部２１および記録アンプ２５を介して記録ヘッド１３でテープ状記録媒体１１に記録され、その後、記録パルス信号Ｐ１、Ｐ２、……の再生タイミングに合わせて次の記録パルス信号の記録および再生ループが形成され、記録パルス信号Ｐ１、Ｐ２、……が一定間隔で連続して記録され、再生される。
【００３２】
そして、記録パルス信号Ｐ１、Ｐ２、……の再生から記録への時間遅れは、ほぼ記録パルス信号間隔に対して無視できる程度であり、テープ状記録媒体１１に記録されたパルス間距離は記録ヘッド１３と再生ヘッド１５間距離と同じになり、これがテープ状記録媒体１１の送り速度や変動、更に、ジッターに依存しない距離となる。
【００３３】
図１中の基準信号形成部２３は、ＰＬＬ部３１および欠落検出部３３を有して形成されている。
【００３４】
ＰＬＬ部３１は、所定の周波数の高周波信号を発振し、この発振高周波信号を波形整形部１９からの再生パルス信号の位相でロックし、この高周波信号を基準信号として出力する機能を有している。
【００３５】
ＰＬＬ部３１から出力されるその基準信号は、この連続的に発生する上述した再生パルス信号で所定の発振高周波信号を位相ロックさせることで、テープ状記録媒体１１に速度偏差や変動が発生しても、テープ状記録媒体１１への記録長を一定にすることが可能となる。
【００３６】
すなわち、ＰＬＬ部３１から出力される基準信号は、テープ状記録媒体１１の速度が低下したときには再生パルス信号の周波数が下がって同様にそれが下がり、速度が上がったときには再生パルス信号の周波数が上がって同様にそれが上がる。
【００３７】
ＰＬＬ部３１は、再生パルス信号に同期した（同じ周波数の）同期パルス信号を常時発生し、この同期パルス信号を切換部２１および欠落検出部３３へ出力する機能を有している。
【００３８】
欠落検出部３３は、波形整形部１９からの記録パルス信号とＰＬＬ部３１からの同期パルス信号を同期検波する機能を有し、ＰＬＬ部３１からの同期パルス信号に対して記録パルス信号が重ならずに欠落するとき、すなわち、再生パルス信号に同期した同期パルス信号との関係で入力されるべき記録パルス信号がないとき、記録パルス信号の欠落を検出して切換信号を切換部２１へ出力し、波形整形部１９から記録パルス信号が入力されるまでそれを保持する機能を有している。
【００３９】
このような事態は、例えばテープ状記録媒体１１の不具合などによって再生パルス信号が得られず、記録・再生ループが形成されなかった場合である。
【００４０】
上述した切換部２１は、欠落検出部３３からの切換信号が入力されたとき、ＰＬＬ部３１からの同期パルス信号を記録パルス信号として記録アンプ２５および記録ヘッド１３を介してテープ状記録媒体１１に記録し、切換信号の入力がなくなると、波形整形部１９からの記録パルス信号を記録アンプ２５へ出力する切換え機能を有している。
【００４１】
なお、欠落検出部３３は、確実な検出動作を確保する観点から、１個分の記録パルスが入力されない場合でも、直ちに切換信号を出力させず、次の記録パルスの欠落検出を待つよう動作させることも可能である。
【００４２】
次に、上述した基準信号発生装置の動作を説明する。
当初、図示しない磁気記録装置に装着されたテープ状記録媒体１１の走行が所定速度に達したとき、走行系からの指示に基づきスタート指示部１７からスタート信号が波形整形部１９へ出力される。
【００４３】
波形整形部１９は、そのスタート信号に基づき１個の記録用パルス信号Ｐ１を切換部２１へ出力する。この状態では、欠落検出部３３から切換信号が出力されていないので、その記録用パルス信号Ｐ１が切換部２１および記録アンプ２５を介して記録ヘッド１３へ出力され、走行するテープ状記録媒体１１には記録パルス信号Ｐ１が記録される。
【００４４】
テープ状記録媒体１１の走行によって再生ヘッド１５に到達した記録パルス信号Ｐ１が再生され、再生アンプ２７を介して波形整形部１９に入力される。
【００４５】
波形整形部１９では、再生アンプ２７からの再生パルス信号Ｐ１を波形整形して次の記録パルスＰ２を形成し、切換部２１および記録アンプ２５を介して記録ヘッド１３へ出力し、記録ヘッド１３でテープ状記録媒体１１に記録パルスＰ２が記録される。
【００４６】
以降、記録・再生ループが形成されていれば、記録パルス信号の再生タイミングに合わせて次の記録パルス信号が記録され、再生が繰り返される。
【００４７】
波形整形された再生パルス信号は、波形整形部１９から基準信号形成部２３のＰＬＬ部３１に加えられており、ＰＬＬ部３１では発振高周波信号がその再生パルス信号の位相でロックされ、これがパターン記録制御部３５へ基準信号として出力される。
【００４８】
そのため、パターン記録制御部３５において、この基準信号を用いて上述したサーボパターン９の書き込みタイミングを可変制御し、上述した図３の記録ヘッド３を制御することで、テープ状記録媒体１１の速度変動に拘わらず、幾何学的に同一幅のサーボパターン９（情報縦パターン７）がテープ状記録媒体１１に記録される。
【００４９】
ＰＬＬ部３１からは、再生パルス信号に同期した同期パルス信号が切換部２１および欠落検出部３３へ出力される一方、波形整形された記録パルス信号は欠落検出部３３にも出力されており、記録パルス信号が欠落すると、欠落検出部３３がそれを検出して切換信号を切換部２１へ出力する。
【００５０】
そのため、再生パルス信号すなわち記録パルス信号が欠落すると、波形整形部１９からの記録パルス信号に代えてＰＬＬ部３１からの同期パルス信号が切換部２１および欠落検出部３３へ出力され、これが記録パルス信号として記録ヘッド１３を介してテープ状記録媒体１１に記録される。
【００５１】
このように上述した基準信号発生装置は、テープ状記録媒体１１の走行方向の上流側に記録ヘッド１３を、その下流側に再生ヘッド１５を配置し、波形整形部１９からの記録パルス信号を記録ヘッド１３でテープ状記録媒体１１に記録させ、再生ヘッド１５からの再生パルス信号を上述した波形整形部１９で次の記録パルス信号に波形整形して記録ヘッド１３を介してテープ状記録媒体１１に順次記録させる記録再生制御部２９を形成し、基準信号形成部２３では内部で発振させた発振高周波信号をその再生パルス信号の位相でロックし、基準信号として出力するよう構成したから、基準信号形成部２３から出力される基準信号の周波数がテープ状記録媒体１１の速度の変化に正確に追随して変化する。
【００５２】
そのため、この基準信号を用いてサーボパターン９の書き込みタイミング信号を制御すると、テープ状記録媒体１１の走行速度が変化しても、テープ状記録媒体１１に記録されるサーボパターン９を幾何学的に一定に保つことが可能となる。
【００５３】
すなわち、本発明に係る基準信号発生装置による基準信号を用いてテープ状記録媒体１１上に信号を記録する場合、その記録信号は速度変動にかかわらずテープ状記録媒体１１上には波長や書き込み間距離が一定の信号が記録されることになる一方、消去ヘッドで記録信号を消去する場合も、この基準信号を基準タイミングとして行えば、テープ状記録媒体１１の速度変動に依存することなく、所望の記録位置を正確に消去することができ、上述したサーボパターン９も幾何学的に正確かつ整然と揃えて記録形成できる。
【００５４】
また、基準信号形成部２３は、再生パルス信号に同期した同期パルス信号を出力し、記録パルス信号の欠落を検出したとき切換信号を出力する機能を有する一方、記録再生制御部２９には切換部２１を設け、波形整形部１９からの記録パルス信号をその切換部２１を介して記録ヘッド１３へ出力するとともに、切換信号が出力されたとき、その切換部２１で同期パルス信号をその記録パルス信号として記録ヘッド１３へ切換え出力する構成としたから、テープ状記録媒体１１からの再生パルス信号が欠落しても、記録パルス信号の記録・再生が確保され、テープ状記録媒体１１の速度の変化に応じて変化する基準信号を確実に得ることが可能となり、上述した効果を得ることができる。
【００５５】
本発明において、基準信号形成部２３で再生パルス信号の欠落を検出した場合、切換信号を出力して記録パルス信号から同期パルス信号へ切換え、これをテープ状記録媒体１１に記録する構成に限らず、次のような構成も可能である。
【００５６】
すなわち、基準信号形成部２３から再生パルス信号に同期した同期パルス信号を記録パルス信号として切換部２１に、又は記録アンプ２５へ直接出力する構成である。
【００５７】
このような構成でも、同期パルス信号が再生パルス信号に同期したものであるから、基準信号形成部２３から出力される基準信号の周波数がテープ状記録媒体１１の速度の変化に追随して変化し、上述した効果を得ることが可能であり、切換信号も不要となる。
【００５８】
図２は、本発明に係る基準信号発生装置の他の実施の形態を示す要部ブロック図である。
【００５９】
図２は、上述した基準信号形成部２３を変形した別の基準信号形成部３７を示しており、この基準信号形成部３７は、元基準信号発生用ＰＬＬ３７ａ、１／Ｎ進カウンタ３７ｂ、比較部３７ｃおよび１／Ｍ進カウンタ３７ｄを有して形成されている。
【００６０】
すなわち、波形整形部１９からの再生パルス周波数は、テープ状記録媒体１１の速度を記録、再生ヘッド１３、１５間距離で除した数字で得られるし、サーボパターン９の元になるサーボ信号の記録に必要な基準クロック周波数は、サーボパターン９の必要性から決定されるので、この基準クロック周波数を得るためには、再生パルス周波数を合わせることが求められ、記録再生ヘッド１３、１５間距離を調整することになるもののこの調整が煩雑となり易く、これを回避するため１／Ｎ、１／Ｍ進カウンタ３７ｂ、３７ｄで合わせる構成を示すものである。
【００６１】
波形整形部１９からの再生パルス周波数は、テープ状記録媒体１１の速度と記録、再生ヘッド１３、１５間距離で決まる。例えば、この周波数を１６６ＫＨｚとし、サーボパターン記録用クロックが１ＭＨｚに設定されている場合、上述した符号Ｎ、Ｍの関係は次のようになる。
【００６２】
元基準信号発生用ＰＬＬ３５ａを１／Ｎ進カウンタ３５ｂで１／Ｎに分周して比較器３５ｃに送り、再生パルス周波数１６６ＫＨｚに位相をロックするとともに、同時に切換部２１および欠陥検出部３３へ出力する。ここで、符号Ｎを１０００に設定すると、元基準信号発生用ＰＬＬ３５ａは１６６ＭＨｚで発振することになり、符号Ｍを１６６に設定した１／Ｍ進カウンタ３５ｄでこれを分周するとその出力は１ＭＨｚとなり、これをサーボパターン記録用の基準クロックとすることができる。
【００６３】
このように、本発明によれば、記録、再生ヘッド１３、１５間距離の微調を行わなくても、１／Ｎ、１／Ｍ進カウンタ３７ｂ、３７ｄの分周数Ｎ、Ｍの設定値を変えるだけで希望する周波数のクロックを得ることができ、誤差を所定の無視できる範囲に抑え、正確な基準信号を発生させることができる。
【００６４】
さらに、上述した本発明に係る基準信号発生装置で発生する基準信号は、サーボパターン９を形成する場合、高記録密度用途になるほど効果が顕著になるが、それ以外に磁気記録装置において広く応用可能である。
【００６５】
例えば、上述した本発明に係る基準信号発生装置は、図示はしないが、基準信号形成部２３、３５からの基準信号をテープ状記録媒体１１の走行系に出力し、実際のモータの回転数指示信号との偏差が小さくなるようモータを回転制御すれば、テープ状記録媒体を安定走行させることが可能である。すなわち、基準信号をテープ状記録媒体の走行補正用信号に用いることが可能である。
【００６６】
【発明の効果】
以上説明したように本発明は次のような効果を有する。
本発明の請求項１に係る発明は、磁気記録装置におけるテープ状記録媒体の走行位置に所定の間隔を置いて上流と下流側に対をなす記録ヘッドおよび再生ヘッドを配置し、そのテープ状記録媒体上に記録させる所定の記録パルス信号を記録ヘッド側へ出力するとともに、当該テープ状記録媒体の通過時に再生ヘッドで再生されたその記録パルス信号を再生パルス信号として取り込み、その再生パルス信号の取り込みタイミングに基づき次の記録パルス信号を記録ヘッド側に出力する記録再生制御部を形成し、所定の発振高周波信号を再生パルス信号で位相をロックさせた基準信号を出力する基準信号形成部を形成して構成した。
そのため、テープ状記録媒体の走行速度が変動しても、テープ状記録媒体の走行変動に追随した正確な基準信号を得ることが可能であり、その基準信号を例えばテープ状記録媒体上への信号記録タイミング用の基準信号に用いれば、テープ状記録媒体に記録された記録信号の記録波長やパルス間距離を一定にすることが可能である。
本発明の請求項２に係る発明は、上記基準信号形成部として、その再生パルス信号に同期した同期パルス信号を形成し、この同期パルス信号に基づきその再生パルス信号の再生欠落を検出して検出信号を出力するよう形成し、上記記録再生制御部は、その再生パルス信号に基づき次の記録パルス信号を記録ヘッド側に出力するとともに、その検出信号が入力されたとき同期パルス信号を次の記録パルス信号として出力するよう形成したので、再生パルス信号が欠落しても、常に、テープ状記録媒体の走行変動に追随した正確な基準信号を得ることが可能である。
本発明の請求項３に係る発明は、上記基準信号形成部として、その再生パルス信号に同期した同期パルス信号を出力するよう形成し、上記記録再生制御部として、その同期パルス信号を次の記録パルス信号として出力するよう形成したので、再生パルス信号が欠落しても、常に、テープ状記録媒体の走行変動に追随した正確な基準信号を得ることが可能で、切換信号が不要となって構成も簡素化される。
本発明の請求項４に係る発明は、上記基準信号形成部として、その発振高周波信号を１／Ｎに分周した信号と上記再生パルス信号を比較し、その位相差に応じてその発振高周波信号の周波数を可変し、これを１／Ｍに分周して上記基準信号として出力するよう形成したので、符号ＮとＭを適当に選定することにより、記録ヘッドと再生ヘッドの配置間隔にばらつきが生じても、それを無視できる程度に吸収し、テープ状記録媒体の走行変動に追随した正確な基準信号を得ることが可能となる。
本発明の請求項５に係る発明は、上記基準信号としてテープ状記録媒体上へのサーボパターン信号記録用の基準信号とするから、テープ状記録媒体の走行変動があっても、テープ状記録媒体への記録の観点から、幾何学的に揃った正確なサーボパターンを記録でき、正確なサーボ制御が可能となる。
本発明の請求項６に係る発明は、上記基準信号としてテープ状記録媒体の走行補正用信号とするから、テープ状記録媒体の走行変動を小さく速く抑えて、テープ状記録媒体の走行制御の観点から、幾何学的に揃った正確なサーボパターンを記録でき、正確なサーボ制御が可能となる。
【図面の簡単な説明】
【図１】本発明に係る基準信号発生装置の実施の形態を示すブロック図である。
【図２】図１の基準信号発生装置における基準信号形成部の他の構成を説明する要部ブロック図である。
【図３】本発明の参考となるサーボパターンを説明する図である。
【図４】本発明の参考となるサーボパターンを説明する図である。
【図５】本発明の参考となるサーボパターンを説明する図である。
【符号の説明】
１、１１……テープ状記録媒体、３、１３……記録ヘッド、５、１５……消去ヘッド、７……情報縦パターン、９……サーボパターン、１７……スタート指示部、１９……波形整形部、２１……切換部、２３、３７……基準信号形成部、２５……記録アンプ、２７……再生アンプ、２９……記録再生制御部、３１……ＰＬＬ部、３３……欠落検出部、３５……パターン記録制御部、３７ａ……元基準信号発生用ＰＬＬ、３７ｂ……１／Ｎ進カウンタ、３７ｃ……比較部、３７ｄ……１／Ｍ進カウンタ、Ａｎ、Ａｎ＋１、Ａｎ＋２……サーボ信号情報、Ｂｎ、Ｂｎ＋１、Ｂｎ＋２……識別信号情報（サーボタイミングマーク）、ＴＣｎ、ＴＣｎ＋１、ＴＣｎ＋２……リニア記録トラック、ＴＣ（ｎ）、ＴＣ（ｎ＋１）、ＴＣ（ｎ＋２）……トラックセンター、Ｄ、ｄ……走行方向、Ｚ……単位情報
【図１】
2004039073.tif 000003
【図２】
2004039073.tif 000004
【図３】
2004039073.tif 000005
【図４】
2004039073.tif 000006
【図５】
2004039073.tif 000007